(57)【要約】【課題】家庭のテレビ受像機で番組を視聴中に、急な用事などで外出する場合に、煩わしい操作を伴うことなく、中断した番組の視聴を後から行う。【解決手段】テレビ放送録画システムは、ＴＶと携帯電話とが無線ＬＡＮにて接続されている状態より成り立つ。携帯電話は無線ＬＡＮのＡＰに接続したら、ＴＶと接続及び認証を行い、ＴＶの操作と共にリアルタイムで視聴中の番組に関するデータを受信して記憶する。ＴＶの電源をオフして使用者が携帯電話を所持しながら外出すると、ＴＶと携帯電話との間の無線ＬＡＮ接続が断たれる。ＴＶと携帯電話の双方は、無線ＬＡＮ接続が切断されたことをそれぞれ検出し、保持していた番組データに基づいて録画を開始する。【選択図】図２
2007329860.tif 000002
【特許請求の範囲】
【請求項１】
テレビジョン放送を視聴可能に受信するテレビ受像機と、
前記テレビ受像機に接続され、第１の無線ネットワークインターフェースを備え、テレビジョン放送を受信し、録画する第１の録画装置と、
前記第１の無線ネットワークインターフェースと直接又は間接的に接続可能な第２の無線ネットワークインターフェースを備え、テレビジョン放送を受信し、録画する第２の録画装置と
よりなるテレビ放送録画システムであり、
前記第１の録画装置は、
前記テレビ受像機が現在受信しているチャンネルの情報を取得して前記第２の録画装置に送信すると共に、
前記第２の録画装置との無線通信が切断されたことを受けて、直前まで前記テレビ受像機にて視聴していたチャンネルの録画を開始し、
前記第２の録画装置は、
前記第１の録画装置との無線通信が切断されたことを受けて、直前まで前記テレビ受像機にて視聴していたチャンネルの録画を開始する
ことを特徴とするテレビ放送録画システム。
【請求項２】
無線ネットワークインターフェースと、
前記無線ネットワークインターフェースに接続される制御部と、
テレビジョン放送を受信し復調するテレビチューナと、
前記テレビチューナから得られる復調テレビジョン信号を録画する録画部と
よりなる録画装置であり、
前記制御部は前記無線ネットワークインターフェースを介して外部装置からテレビジョン放送のチャンネルの情報を受信すると共に、前記無線ネットワークインターフェースと前記外部装置との無線ネットワーク接続が切断されたら、前記チャンネルの情報に基づき、前記録画部にて当該チャンネルの録画を開始するべく制御する
ことを特徴とする録画装置。
【請求項３】
前記制御部は、外部装置から得られる、チャンネルの情報と番組の終了時刻の情報を受け、前記終了時刻の情報にしたがって前記録画部における当該チャンネルの録画を終了するべく制御する
ことを特徴とする、請求項２記載の録画装置。
【請求項４】
テレビジョン放送を受信し復調するテレビチューナと、
前記テレビチューナに接続され、テレビジョン放送を視聴可能に受信するテレビ受像機と、
無線ネットワークインターフェースと、
前記無線ネットワークインターフェースに接続される制御部と、
前記テレビチューナから得られる復調テレビジョン信号を録画する録画部と
よりなる録画装置であり、
前記制御部は前記無線ネットワークインターフェースを介して外部装置へ現在前記テレビ受像機にて視聴しているテレビジョン放送のチャンネルの情報を送信すると共に、前記無線ネットワークインターフェースと前記外部装置との無線ネットワーク接続が切断されたら、前記チャンネルの情報に基づき、前記録画部にて当該チャンネルの録画を開始するべく制御する
ことを特徴とする録画装置。
【請求項５】
テレビジョン放送を視聴可能に受信するテレビ受像機と、
前記テレビ受像機に接続され、第１の無線ネットワークインターフェースを備え、テレビジョン放送を受信し、録画する第１の録画装置と、
前記第１の無線ネットワークインターフェースと直接又は間接的に接続可能な第２の無線ネットワークインターフェースを備え、テレビジョン放送を受信し、録画する第２の録画装置と
よりなるテレビ放送録画システムにおけるテレビ放送録画方法であり、
前記第１の録画装置において、
前記テレビ受像機が現在受信しているチャンネルの情報を取得して前記第２の録画装置に送信する手順と、
前記第２の録画装置との無線通信が切断されたことを受けて、直前まで前記テレビ受像機にて視聴していたチャンネルの録画を開始する手順を実行し、
前記第２の録画装置において、
前記第１の録画装置との無線通信が切断されたことを受けて、直前まで前記テレビ受像機にて視聴していたチャンネルの録画を開始する手順を実行する
ことを特徴とするテレビ放送録画方法。
【発明の詳細な説明】
【技術分野】
【０００１】
本発明は、主に家庭のテレビ受像機にて所望の番組の視聴中に視聴の中断をした際、自動的に直前まで観ていた番組の自動録画を可能にする技術に関する。
【背景技術】
【０００２】
従来、家庭のテレビ受像機で番組を視聴中に、急な用事などで外出する場合、中断した番組の視聴を行うには、家庭の録画機で番組録画を行い、録画機に蓄積した動画を帰宅後に視聴するか、或はロケーションフリー機能を用いて無線ＬＡＮ経由で外出先でノートパソコン等で視聴を行うしか方法がなかった。
【０００３】
なお、本発明と直接は関係しないものの、技術思想に類似点があると思われる先行技術文献として、特許文献１を挙げる。
【特許文献１】特開２００２−２７５７１号公報
【発明の開示】
【発明が解決しようとする課題】
【０００４】
無線ＬＡＮ経由の遠隔視聴では、外出先の移動中など、無線ＬＡＮ圏外での視聴は不可能である。
また、テレビ受信機能付携帯電話を用いることも考えられるが、電車の乗り換えや歩行中などの場合は、番組の視聴は実質的に不可能に近い。
このため、テレビ視聴者がスポーツ番組等の熱狂的ファンである場合、突然の外出によって視聴の機会が断たれると、折角の楽しみが奪われるだけに留まらず、録画に失敗したりする可能性もあり、精神衛生上好ましくない状況が起こりうる。
【０００５】
本発明はかかる点に鑑みてなされたものであり、突然の外出等に対してテレビ視聴者をできる限りフォローアップするべく、視聴の中断を余儀なくされた番組を自動的に録画するシステムと、その方法及び装置を提供することを目的とする。
【課題を解決するための手段】
【０００６】
上記課題を解決するための本発明は、テレビジョン放送を視聴可能に受信するテレビ受像機と、前記テレビ受像機に接続され、第１の無線ネットワークインターフェースを備え、テレビジョン放送を受信し、録画する第１の録画装置と、前記第１の無線ネットワークインターフェースと直接又は間接的に接続可能な第２の無線ネットワークインターフェースを備え、テレビジョン放送を受信し、録画する第２の録画装置とよりなるテレビ放送録画システムにおいて、前記第１の録画装置は、前記テレビ受像機が現在受信しているチャンネルの情報を取得して前記第２の録画装置に送信すると共に、前記第２の録画装置との無線通信が切断されたことを受けて、直前まで前記テレビ受像機にて視聴していたチャンネルの録画を開始し、前記第２の録画装置は、前記第１の録画装置との無線通信が切断されたことを受けて、直前まで前記テレビ受像機にて視聴していたチャンネルの録画を開始することを特徴とするテレビ放送録画システムに関するものである。
【０００７】
録画機能を備える家庭内テレビ受像機とテレビ受信機能及び録画機能を備える携帯型電子機器は、互いに無線通信する機能を備え、視聴中の番組に関する情報を家庭内テレビ受像機から携帯型電子機器へリアルタイムで送信する。
突然の外出が発生すると、家庭内テレビ受像機と携帯型電子機器との無線通信は切断される。
この無線通信の切断を自動録画開始のきっかけ（トリガ）とする。
【発明の効果】
【０００８】
本発明により、視聴者が突然外出を余儀なくされて番組の視聴ができなくなったとしても、所持している携帯受信機が当該番組を録画してくれているので、後からその番組の視聴を楽しむことができる。また、帰宅すれば視聴を中断されていた番組の続きを高画質で再視聴できる。したがって、使用者の利便性が向上し、商品としての高付加価値に繋がる。
【発明を実施するための最良の形態】
【０００９】
以下、本発明の実施の形態を、図１〜図８を参照して説明する。
【００１０】
図１は、本実施形態に係るテレビ放送録画システムの、実際の利用状況を想定して説明するための概略図である。
ある土曜日の午前１１時半頃、会社員Ａ氏１０１は自宅１０２内にて休日の楽しみであるバラエティ番組を、地上波デジタル放送受信機であるテレビ受像機１０３にて、赤外線リモートコントローラ１０４を操作しながら視聴している。Ａ氏１０１の傍らには携帯電話１０５が置かれている。テレビ受像機１０３は無線ＬＡＮのアクセスポイント（以下「ＡＰ」と略す）１０６に接続されており、ＡＰは図示しない所定の契約回線を通じてインターネットに接続されている。また、携帯電話１０５は無線ＬＡＮのインターフェースを内蔵し、ＡＰ１０６と通信している。
このような状況において、Ａ氏１０１の上司から、携帯電話１０５を通じて突然の休日出勤命令が下された。Ａ氏１０１はテレビ受像機１０３の電源を赤外線リモートコントローラ１０４にてオフ操作し、携帯電話１０５を持ちながら出かけた。
【００１１】
図２は、本実施形態に係るテレビ放送録画システムの、実際の利用状況を想定して説明するための概略図である。図１にて述べた利用状況の続きを示すものである。
テレビ受像機１０３は、地上波デジタル放送アンテナ２０５を通じて放送局から受信する電波に含まれているＥＰＧを取得する。ＥＰＧとは Electronic Program Guide の略で、「電子番組ガイド」を指す。
なお、テレビ受像機１０３のＥＰＧ取得方法は、インターネットから取得する方法もある。テレビ受像機１０３はＬＡＮケーブル２０１を介してＡＰ１０６に接続されており、ＡＰ１０６は、契約回線２０２を介してインターネット２０３に接続されている。インターネット２０３の先には、所定の業者等が運営するＥＰＧサーバ２０４が接続されている。ＥＰＧサーバ２０４は任意のクライアントからの要求に応じ、電子番組表データを送信する。いずれの方法でも、テレビ受像機１０３はＥＰＧを取得可能である。
携帯電話１０５はＡＰ１０６を通じてテレビ受像機１０３と所定のＴＣＰ通信を行っている。
テレビ受像機１０３はＥＰＧサーバ２０４から受信した電子番組表データのうち、現在視聴している番組のデータを逐一携帯電話１０５へ送信している。
【００１２】
Ａ氏１０１がテレビ受像機１０３の電源をオフ操作して自宅１０２から出かけると、携帯電話１０５はＡＰ１０６のカバー範囲内であるＡ地点（自宅内）から、カバー範囲外であるＢ地点（屋外）に移動する。すると、携帯電話１０５とＡＰ１０６との無線ＬＡＮ接続は途絶え、切断される。つまり、テレビ受像機１０３と携帯電話１０５とのＴＣＰ通信も途絶えることとなる。この現象を、テレビ受像機１０３と携帯電話１０５はそれぞれ検出して、直前まで視聴していた番組の録画を、双方が開始する。
番組の録画はテレビ受像機１０３がＥＰＧサーバ２０４から受信していた電子番組表データのうち、現在視聴している番組のデータを基に行われ、当該番組が終了する時刻になったらテレビ受像機１０３及び携帯電話１０５はそれぞれ録画を停止する。
【００１３】
なお、Ａ氏１０１がテレビ受像機１０３の電源をオフ操作しても、Ａ氏１０１がそのまま就寝する等で出かけなければ、テレビ受像機１０３及び携帯電話１０５の録画は開始されない。直前まで視聴していた番組の終了時刻を越えてもＡ氏１０１が自宅１０２内に居る事をテレビ受像機１０３と携帯電話１０５の双方がそれぞれ検出し、録画の必要性が発生する可能性がなくなったことを認識する。
【００１４】
図３は本実施形態に係るテレビ放送録画システムの、ＴＣＰ／ＩＰネットワーク部分を抜粋して示す概略図である。なお、説明の便宜上、ＩＰｖ４を想定して説明するが、ＩＰｖ６であっても技術思想は変わらない。
ＡＰ１０６は無線ＬＡＮの基地局であると共にＩＰネットワークにおける周知のルータを構成する。ＡＰ１０６には固定のプライベートＩＰアドレス192.168.0.1が設定されている。ＡＰ１０６は内部にて周知のＮＡＴ（Network Address Translation：一つのグローバルＩＰアドレスを複数のネットワーク機器で共有する技術）機能により、プライベートＩＰアドレスのパケットとグローバルＩＰアドレスのパケットとを相互変換する。
ＡＰ１０６は無線ＬＡＮのネットワークを構築する。ＡＰ１０６の電波が届く範囲内には、無線ＬＡＮのインターフェースを内蔵する機器がネットワーク接続されている。
携帯電話１０５は図示しない無線ＬＡＮインターフェースを内蔵する。
携帯電話１０５の内蔵ネットワークインターフェースｅｔｈ０には、ＡＰ１０６が内蔵するＤＨＣＰサーバ機能により、プライベートＩＰアドレス192.168.0.50が付与されている。
一方、ＡＰ１０６にはＬＡＮケーブル２０１を介してテレビ受像機１０３が接続されている。テレビ受像機１０３の内蔵ネットワークインターフェースｅｔｈ０には、固定のプライベートＩＰアドレス192.168.0.2が付与されている。
ＡＰ１０６とテレビ受像機１０３と携帯電話１０５はプライベートＩＰのサブネット192.168.0.0/24を構成する。
【００１５】
携帯電話１０５は、ＡＰ１０６がカバーする範囲内にあると判明すると、ＡＰ１０６を通じてテレビ受像機１０３への接続処理を試みる。テレビ受像機１０３は固定ＩＰアドレスであるので、Ａ氏１０１は予め携帯電話１０５にテレビ受像機１０３のＩＰアドレスを記憶させている。携帯電話１０５からテレビ受像機１０３への通信が確立したら、今度は逆にテレビ受像機１０３から携帯電話１０５へ、現在視聴している放送局のチャンネルと、番組を視聴していれば、電子番組表データ内の対応する番組データを送信する。
テレビ受像機１０３と携帯電話１０５との通信は、誰もができるようになっていてはならないので、認証を伴う通信形式が望ましい。
一例を以下に記す。
テレビ受像機１０３はＴＣＰポート８０番を用いる簡易ｗｅｂサーバ機能を内包している。
テレビ受像機１０３の簡易ｗｅｂサーバ機能は、周知のＨＴＴＰ（Hyper Text Transfer Protocol）におけるＢＡＳＩＣ認証と呼ばれる、簡単なユーザＩＤ及びパスワードを伴う認証機能を備えている。
携帯電話１０５の、テレビ受像機１０３に対するＢＡＳＩＣ認証が正しく行われたら、テレビ受像機１０３は携帯電話１０５のＩＰアドレス（192.168.0.50）を記憶する。
次に、テレビ受像機１０３は記憶したＩＰアドレスに向けて、ＴＣＰポート８０番に対してＢＡＳＩＣ認証を行う。
携帯電話１０５は予めテレビ受像機１０３のＩＰアドレスである 192.168.0.2 からの接続要求だけを受け付けるべく、パケットフィルタが機能している。
テレビ受像機１０３から携帯電話１０５へのＢＡＳＩＣ認証が成功すれば、テレビ受像機１０３は所定のタイミングにて携帯電話１０５にポーリングを行いつつ、現在視聴している放送局のチャンネルと、番組を視聴していれば、電子番組表データ内の対応する番組データを携帯電話１０５へ送信する。
なお、認証やデータの送受信は上記に限らず、様々な応用や代替案が考えられるが、それらは設計的事項の範疇である。
ポーリングは例えば周知のＰＩＮＧ等が利用可能である。
【００１６】
図４はテレビ受像機１０３の内部ブロック図である。
ＴＶチューナ４０２は地上波デジタル放送を受信し、復調する。
ＬＣＤ表示部４０３はＴＶチューナ４０２にて復調されたテレビジョン信号を表示する。
マイクロコンピュータ４０４はバス４０５に接続される各機能部の制御を行う。
マイクロコンピュータ４０４はテレビ受像機１０３の全体の制御の他に、後述する携帯電話１０５とのＴＣＰ通信の機能に必要な、ＩＰネットワーク機器としても動作するものである。マイクロコンピュータ４０４内部の図示しないＲＯＭ（Read Only Memory）にはネットワークＯＳと、当該ＯＳ上でＴＣＰ通信の機能を提供するアプリケーションソフトウェアが含まれ、マイクロコンピュータ４０４にてこれらソフトウェアが実行される。
ＬＡＮインターフェース４０６はネットワークに接続するためのインターフェースである。
ＨＤＤ２０６は周知の固定磁気ディスク装置であり、テレビ受像機１０３の録画用記録媒体である、大容量の不揮発性ストレージである。受信した地上波デジタル放送のうちユーザが指定したものが動画データとしてＨＤＤ２０６に記録される。
図示しない電源回路はマイクロコンピュータ４０４とＬＡＮインターフェース４０６を常時通電している。
図示しない電源スイッチの操作によって、ＬＣＤ表示部４０３は瞬時に電源が断たれるが、ＴＶチューナ４０２とＨＤＤ２０６は電源スイッチがオフ操作されても暫くの間は稼動している。マイクロコンピュータ４０４が録画の必要性がなくなったと判断したら、ＴＶチューナ４０２及びＨＤＤ２０６の電源をオフする。
【００１７】
図５は携帯電話１０５の全体ブロック図である。
携帯電話１０５は、周知の移動体通信電話網に接続する携帯電話の機能と、無線ＬＡＮを通じて行うＶｏＩＰ（Voice over Internet Protocol：音声を各種符号化方式で圧縮しパケットに変換した上でインターネットを通じてリアルタイム伝送する技術）によるＩＰ電話の機能の両方を具備する。
第１の高周波信号処理部（以下「第１ＲＦ部」と略す。ＲＦは"Radio Frequency"の略）５０２は、周知の移動体通信電話網に接続する携帯電話の、電波の送受信を行う回路ブロックである。
ベースバンド部５０３は主にＤＳＰ（Digital Signal Processor: 音声や画像などの処理に特化した演算処理集積回路装置）で構成される。受信電波から第１ＲＦ部５０２によって復調された信号或はデータに所定の処理を施したり、信号或はデータに所定の処理を施し、変調させて基地局へ送信するために第１ＲＦ部５０２へ送出する処理等を行う。
また、ベースバンド部５０３は通話に必要なオーディオ信号の入出力も行う。このためにベースバンド部５０３にはマイク５０４とスピーカ５０５が接続されている。
【００１８】
ベースバンド部５０３は第１のマイクロコンピュータ（以下「第１マイクロコンピュータ」と略）５０６と、バスを通じて接続されている。第１マイクロコンピュータ５０６には文字及び画像等の表示機能を備えるＬＣＤ５０７と、使用者が操作するためのボタンの集合体であるキーパッド５０８が接続されている。
第１マイクロコンピュータ５０６は携帯電話としての機能を提供するに必要な携帯電話１０５全体の制御の他に、ＶｏＩＰによるＩＰ電話の機能及び後述するテレビ受像機１０３とのＴＣＰ通信に必要な、ＩＰネットワーク機器としても動作するものである。第１マイクロコンピュータ５０６内部の図示しないＲＯＭ（Read Only Memory）にはネットワークＯＳと、当該ＯＳ上でＶｏＩＰ及びＴＣＰ通信の機能を提供するアプリケーションソフトウェアが含まれ、第１マイクロコンピュータ５０６にてこれらソフトウェアが実行される。
【００１９】
無線ＬＡＮインターフェース５０９を構成する第２の高周波信号処理部（以下「第２ＲＦ部」と略す。）５１０と第２のマイクロコンピュータ（以下「第２マイクロコンピュータ」と略す。）５１１は、無線ＬＡＮの電波の送受信を行い、これをネットワークのパケットと相互変換する。
無線ＬＡＮインターフェース５０９は、第１マイクロコンピュータ５０６にて動作するネットワークＯＳからはネットワークインターフェースとして認識される。図３の携帯電話１０５の内部に存在するｅｔｈ０がこれに該当する。
【００２０】
ＴＶチューナ５１２はテレビ受像機１０３のＴＶチューナ４０２と同様の地上波デジタル放送を受信し、復調する。但し、ＴＶチューナ４０２と異なるのは、俗に「ワンセグ」と呼ばれる、「携帯・移動体向けの１セグメント部分受信サービス」（周波数470MHz〜770MHz、UHF13〜62chに相当）（以下「ワンセグ」と略）を受信するものである。
復調されたワンセグのデータは第１マイクロコンピュータ５０６を通じてＬＣＤ５０７にて表示されると共に、録画機能を稼動させている場合は圧縮動画データに変換された後、フラッシュメモリ５１３に記録される。
【００２１】
図６はテレビ受像機１０３の動作の流れを示すフローチャートである。
このフローチャートはマイクロコンピュータ４０４上で実行されるプログラムであり、ループ状に常時稼動し続けるものである。
本プログラムが稼動開始すると（Ｓ６０１）、先ず携帯電話１０５との接続及び認証がなされているか確認する（Ｓ６０２）。接続及び認証が済んでいれば、ＴＶチューナ４０２が現在受信している番組と、マイクロコンピュータ４０４内部の図示しないメモリ上に記憶している「直前の番組データ」とを比較する（Ｓ６０３）。一致していれば、何もせずに処理を終了し、最初から処理を繰り返す（Ｓ６０４）。
ＴＶチューナ４０２が現在受信している番組と、メモリ上の直前の番組データとを比較した結果、一致していなければ、次にＴＶチューナ４０２がオフ状態であるか否かを確認する（Ｓ６０５）。オフであれば、メモリ上の直前の番組データの終了時刻と現在時刻とを比較して、番組はもう終了したか否かを確認する（Ｓ６０６）。番組が終了したと判れば、メモリ内の番組データを消去して（Ｓ６０７）、終了する（Ｓ６０４）。この状態はもはや録画を行う必要性が生じなくなったことを意味する。
もし、ステップＳ６０６にて番組が未だ終了していないのであれば、処理を一旦終了し（Ｓ６０４）、最初に戻る。何故ならば、この状態はユーザが出かけることによって携帯電話１０５との接続が断たれ、録画の必要性が生じる可能性が考えられるからである。
ＴＶチューナ４０２がオフ状態であるか否かを確認（Ｓ６０５）した結果、未だオン状態であれば、ユーザはＴＶ視聴を楽しんでいることが判る。そこで、現在視聴しているチャンネルと番組データを書き込む（Ｓ６０８）。なお、番組と番組との間のコマーシャルの時間帯に差し掛かっている場合は、番組を視聴していないので、その際に記録する番組データは空となるようにしてもよい。
【００２２】
なお、図示しないメモリに記憶される番組データとは、チャンネルと番組開始時間と番組終了時間の情報を最低限含むものである。
図１において、Ａ氏１０１がテレビ受像機１０３のリモコン１０４を操作して視聴対象チャンネルを切り替えると、テレビ受像機１０３は予めＥＰＧサーバ２０４からダウンロードしてマイクロコンピュータ４０４の図示しないメモリ内に保持されているＥＰＧデータを参照し、現在視聴中の番組を割り出し、その番組データを現在視聴中の番組の情報として、図示しないメモリに記憶させる。
番組と番組との間の、民放においてはコマーシャルしか流されていない空き時間の場合は、該当する番組データがないので、図示しないメモリには現在視聴中のチャンネルのみが記憶され、番組の開始時間と終了時間は記憶されず、空とされるようにしてもよい。
【００２３】
携帯電話１０５との接続及び認証を確認して（Ｓ６０２）、接続がされていなければ、携帯電話１０５が認証を要求している状態であるか否かを見る（Ｓ６０９）。認証要求が来ていれば、所定の接続及び認証手順を行い（Ｓ６１０）、終了する（Ｓ６０４）。
【００２４】
携帯電話１０５との接続及び認証を確認して（Ｓ６０２）、接続がされておらず、且つ携帯電話１０５から認証要求がない状態の場合（Ｓ６０９のＮ）は、携帯電話１０５との接続がなされていない状態である。そこで、録画を行う必要があるか否かを、これより説明する手順にて検証する。
先ず、メモリ内に番組データが存在するか否かを見る（Ｓ６１１）。もし番組データがなければ、それはテレビ受像機１０３と携帯電話１０５との接続が保たれたままテレビ受像機１０３の電源をオフして、その後メモリに保持していた番組データの番組が終了したことを意味する。つまり、録画の必要性がなくなっていることを意味する。そこで、何もせずに終了する（Ｓ６０４）。
もし番組データがあれば、それはメモリ内に保持している番組データの番組が終了していないまま、テレビ受像機１０３と携帯電話１０５との接続が断たれたことを意味する。つまり、録画の必要性が生じていることを意味する。そこで、次に現在録画しているか否かを検証する（Ｓ６１２）。
録画を行っていなければまさに今すぐ録画を行わなければならないので、録画を開始する（Ｓ６１３）。
録画を行っていれば、次にメモリ内に保持している番組データの番組が終了しているか否かを検証する（Ｓ６１４）。
番組が終わっていなければそのまま何もせずに録画を続行する（Ｓ６０４）。
番組が終わっていれば、録画を終了し（Ｓ６１５）、メモリ内の番組データを消去して（Ｓ６１６）終了する（Ｓ６０４）。なお、録画終了後にはＴＶチューナ４０２及びＨＤＤ２０６の電源をオフ制御する。
【００２５】
図７は携帯電話１０５の動作の流れを示すフローチャートである。
このフローチャートは第１マイクロコンピュータ５０６上で実行されるプログラムであり、ループ状に常時稼動し続けるものである。
本プログラムが稼動開始すると（Ｓ７０１）、先ずテレビ受像機１０３との接続及び認証がなされているか確認する（Ｓ７０２）。接続及び認証が済んでいれば、テレビ受像機１０３から現在視聴しているチャンネルと番組データが来ているか否か検証する（Ｓ７０３）。データが来ていなければ、何もせずに処理を終了し、最初から処理を繰り返す（Ｓ７０４）。データが来ていれば、それを第１マイクロコンピュータ内の図示しないメモリ内に書き込み（Ｓ７０５）、最初から処理を繰り返す（Ｓ７０４）。
【００２６】
テレビ受像機１０３との接続及び認証を確認して（Ｓ７０２）、接続がされていなければ、テレビ受像機１０３が認証を要求している状態であるか否かを見る（Ｓ７０６）。認証要求が来ていれば、所定の接続及び認証手順を行い（Ｓ７０７）、終了する（Ｓ７０４）。
【００２７】
テレビ受像機１０３との接続及び認証を確認して（Ｓ７０２）、接続がされておらず、且つテレビ受像機１０３から認証要求がない状態の場合（Ｓ７０６のＮ）は、テレビ受像機１０３との接続がなされていない状態である。そこで、録画を行う必要があるか否かを、これより説明する手順にて検証する。
先ず、メモリ内に番組データが存在するか否かを見る（Ｓ７０８）。もし番組データがなければ、それはテレビ受像機１０３と携帯電話１０５との接続が保たれたままテレビ受像機１０３の電源をオフして、その後メモリに保持していた番組データの番組が終了したことを意味する。つまり、録画の必要性がなくなっていることを意味する。そこで、何もせずに終了する（Ｓ７０４）。
もし番組データがあれば、それはメモリ内に保持している番組データの番組が終了していないまま、テレビ受像機１０３と携帯電話１０５との接続が断たれたことを意味する。つまり、録画の必要性が生じていることを意味する。そこで、次に現在録画しているか否かを検証する（Ｓ７０９）。
録画を行っていなければまさに今すぐ録画を行わなければならないので、録画を開始する（Ｓ７１０）。
録画を行っていれば、次にメモリ内に保持している番組データの番組が終了しているか否かを検証する（Ｓ７１１）。
録画が終わっていなければ、次にフラッシュメモリ５１３の空き容量をチェックし、録画を続行可能か否かを検証する（Ｓ７１２）。ＨＤＤ２０６と比べるとフラッシュメモリ５１３の容量は少ないので、より空き容量に対してシビアにならなければならないからである。フラッシュメモリ５１３の空き容量が録画を続行できるほど確保できていなければ、もはや録画続行は不可能であるので、録画を中断する（Ｓ７１３）。
一方、メモリ内番組データの番組が終わっていれば、録画を終了し（Ｓ７１４）、メモリ内の番組データを消去して（Ｓ７１５）終了する（Ｓ７０４）。
【００２８】
以上に説明したことをまとめる。
本実施形態におけるテレビ放送録画システムは、テレビ受像機１０３と携帯電話１０５とが無線ＬＡＮにて接続されている状態より成り立つ。携帯電話１０５は無線ＬＡＮのＡＰ１０６に接続したら、テレビ受像機１０３と接続及び認証を行い、テレビ受像機１０３の操作と共にリアルタイムで視聴中の番組にの関するデータを受信して記憶する。
テレビ受像機１０３の電源をオフして使用者（Ａ氏１０１）が携帯電話１０５を所持しながら外出すると、テレビ受像機１０３と携帯電話１０５との間の無線ＬＡＮ接続が断たれる。テレビ受像機１０３と携帯電話１０５の双方は、無線ＬＡＮ接続が切断されたことをそれぞれ検出し、保持していた番組データに基づいて録画を開始する。
このようにシステムを構成することにより、使用者は中断されていた番組の視聴を携帯電話１０５でも楽しむことができ、帰宅すればテレビ受像機１０３にて再び高画質にて番組の再視聴が可能になる。
【００２９】
本実施形態には、以下のような応用例が考えられる。
（１）前述の実施形態では、テレビ受像機１０３は携帯電話１０５との通信が途絶えた時点ですぐに録画を開始していたが、無線ＬＡＮにおいては電子レンジの利用等、ノイズ発生源による数秒程度の瞬間的な切断の可能性がある。そこで、切断の判断にタイムアウト処理を加えて、より確実な切断の検出をするのが好ましい。例えば、携帯電話１０５の接続時の認証動作（Ｓ６１０）を行ったら所定のフラグを設定しておき、切断を検出したら当該フラグが設定されていれば１０秒程度のタイマを作動させ、タイムアウトに至ったらフラグをクリアすると共に録画動作の処理へと繋げる。
【００３０】
（２）前述の実施形態では、テレビ受像機１０３は携帯電話１０５との通信が途絶えた時点で初めて録画を開始していたが、逆に常時録画し続け、録画した番組コンテンツデータを保持する必要性がなくなったらその都度削除する、という構成にしてもよい。つまり、通常の視聴状態においては、ある番組を視聴し続けて番組が終了したら、図６のメモリクリア（Ｓ６０７）と共に録画していた番組コンテンツデータをＨＤＤ２０６から削除する。図６のＳ６１３ではその削除を防ぐフラグを設定し、Ｓ６１５では録画終了後、番組コンテンツデータの削除動作を行わずにＴＶチューナ４０２及びＨＤＤ２０６の電源をオフ制御する。
【００３１】
（３）前述の実施形態では、テレビ受像機１０３と携帯電話１０５との通信に無線ＬＡＮを用いていたが、近距離無線通信規格のＢｌｕｅＴｏｏｔｈ（登録商標）を用いてもよい。
図８はＢｌｕｅＴｏｏｔｈを用いた場合の実施形態の概略図である。
ＴＶ８０２はＢｌｕｅＴｏｏｔｈにおけるマスターである。
携帯電話８０３はＢｌｕｅＴｏｏｔｈにおけるスレーブである。
ＴＶ８０２と携帯電話８０３は接近すると自動的に接続処理がなされ、ＢｌｕｅＴｏｏｔｈにおけるピコネットを構成する。ピコネットは１台のマスターと最大７台のスレーブにて構成される、極小規模の無線ネットワークである。
ピコネットを構成した後の、ＴＶ８０２と携帯電話８０３との情報のやり取り、すなわち、接続後の認証と、その後の番組データとチャンネル情報の送受信は前述の実施形態と全く同じなので詳細は割愛する。
【００３２】
ＢｌｕｅＴｏｏｔｈ接続を維持しうる距離は数ｍ程度の範囲であり、無線ＬＡＮと比べると狭い。そのため、家の中に居ても少し離れただけで接続が断たれてしまう。そこで、家の中におけるＢｌｕｅＴｏｏｔｈの切断と外出における切断とを峻別するために、携帯電話８０３の本来の機能である通話機能の際に、基地局から得られる位置情報を基に判断する。
基地局Ａ８０４は会社員Ａ氏１０１の自宅１０２から最も近い基地局である。
基地局Ｂ８０５は基地局Ａ８０４に隣接する位置で、Ａ氏１０１の自宅１０２からは二番目に近い基地局であると共に、Ａ氏１０１が会社に出勤する際の途中に存在する。つまり、Ａ氏１０１が出勤のために外出すると、それまで基地局Ａ８０４から得られていた現在位置情報が基地局Ｂ８０５の情報に書き換えられ、このことにより携帯電話８０３は録画をすべき状況を把握する。
なお、常に定位置にあるＴＶ８０２は携帯電話８０３とのＢｌｕｅＴｏｏｔｈ接続が断たれたことで録画を開始するしか手立てはないが、フラッシュメモリとは違い、ＨＤＤは容量に余裕があるのでさほど気にしなくてもよい。
【００３３】
（３）前述の実施形態では、録画の終了は番組データによる番組の終了時刻を用いていたが、ユーザが予め設定する所定時間に録画を終了する構成になっていてもよい。
【００３４】
本実施形態においては、使用者が突然外出を余儀なくされて番組の視聴ができなくなったとしても、所持している携帯電話が当該番組を録画してくれているので、後からその番組の視聴を楽しむことができる。また、帰宅すれば視聴を中断されていた番組の続きを高画質で再視聴できる。したがって、使用者の利便性が向上し、商品としての高付加価値に繋がる。
【図面の簡単な説明】
【００３５】
【図１】本発明の一実施の形態によるテレビ放送録画システムの、実際の利用状況を想定して説明するための概略図である。
【図２】本発明の一実施の形態によるテレビ放送録画システムの、実際の利用状況を想定して説明するための概略図である。
【図３】本発明の一実施の形態によるテレビ放送録画システムの、ＴＣＰ／ＩＰネットワーク部分を抜粋して示す概略図である。
【図４】ＴＶの内部ブロック図である。
【図５】携帯電話の内部ブロック図である。
【図６】ＴＶの動作の流れを示すフローチャートである。
【図７】携帯電話の動作の流れを示すフローチャートである。
【図８】本発明の一実施の形態によるテレビ放送録画システムの、実際の利用状況を想定して説明するための概略図である。
【符号の説明】
【００３６】
１０１…会社員Ａ氏、１０２…自宅、１０３…ＴＶ、１０４…赤外線リモコン、１０５…携帯電話、１０６…ＡＰ、２０１…ＬＡＮケーブル、２０２…契約回線、２０３…インターネット、２０４…ＥＰＧサーバ、２０６…ＨＤＤ、４０２…ＴＶチューナ、４０３…ＬＣＤ表示部、４０４…マイクロコンピュータ、４０５…バス、４０６…ＬＡＮインターフェース、５０２…第１ＲＦ部、５０３…ベースバンド部、５０４…マイク、５０５…スピーカ、５０６…第１マイクロコンピュータ、５０７…ＬＣＤ、５０８…キーパッド、５０９…無線ＬＡＮイン3ターフェース、５１０…第２ＲＦ部、５１１…第２マイクロコンピュータ、５１２…ＴＶチューナ、５１３…フラッシュメモリ
【図１】
2007329860.tif 000003
【図２】
2007329860.tif 000004
【図３】
2007329860.tif 000005
【図４】
2007329860.tif 000006
【図５】
2007329860.tif 000007
【図６】
2007329860.tif 000008
【図７】
2007329860.tif 000009
【図８】
2007329860.tif 000010